(57)【要約】      （修正有）【課題】小型で、歪曲収差や非球面収差等の諸収差が良好に補正され、広角端から望遠端に至る全ズーム範囲にわたり良好なる光学性能を有する広画角のズームレンズを提供する。【解決手段】負の屈折力の第１レンズ群Ｂ１と、その像側に配置され１つ以上のレンズ群を含む正の屈折力の後群ＬＲより構成され、ズーミングに際して隣り合うレンズ群の間隔が変化し、第１レンズ群Ｂ１は、物体側から像側へ順に、第１負レンズ、第２負レンズ、第３負レンズを有し、第１レンズ群の光軸方向の厚さをＤ１、第１レンズ群Ｂ１の焦点距離をｆ１、第１負レンズの焦点距離をｆ１１、第２負レンズの焦点距離をｆ１２、第２負レンズの材料のｄ線における屈折率をｎｄ１２、広角端におけるズームレンズの焦点距離をｆｗとするとき、０．５＜ｆ１１／ｆ１２＜１．０、ｎｄ１２＞１．８、−２．３＜ｆ１／ｆｗ＜−１．４、３．０＜Ｄ１／ｆｗ＜７．０なる条件式を満足する。【選択図】図１
2020091436.tif 000002
【特許請求の範囲】
【請求項１】
負の屈折力の第１レンズ群と、該第1レンズ群の像側に配置され１つ以上のレンズ群を含む正の屈折力の後群より構成され、ズーミングに際して隣り合うレンズ群の間隔が変化するズームレンズにおいて、
前記第１レンズ群は、物体側から像側へ順に配置された、第１負レンズ、第２負レンズ、第３負レンズを有し、
前記第１レンズ群の光軸方向の厚さをＤ１、前記第１レンズ群の焦点距離をｆ１、前記第１負レンズの焦点距離をｆ１１、前記第２負レンズの焦点距離をｆ１２、前記第２負レンズの材料のｄ線における屈折率をｎｄ１２、広角端における前記ズームレンズの焦点距離をｆｗとするとき、
０．５＜ｆ１１／ｆ１２＜１．０
ｎｄ１２＞１．８
−２．３＜ｆ１／ｆｗ＜−１．４
３．０＜Ｄ１／ｆｗ＜７．０
なる条件式を満足することを特徴とするズームレンズ。
【請求項２】
前記第１負レンズの材料のｄ線における屈折率をｎｄ１１とするとき、
ｎｄ１１＞１．７
なる条件式を満足することを特徴とする請求項１に記載のズームレンズ。
【請求項３】
前記第３負レンズの材料のｄ線におけるアッベ数をｖｄ１３とするとき、
ｖｄ１３＞６０
なる条件式を満足することを特徴とする請求項１または２に記載のズームレンズ。
【請求項４】
前記ズームレンズは、
−３．５＜ｆ１１／ｆｗ＜−１．５
なる条件式を満足することを特徴とする請求項１乃至３のいずれか１項に記載のズームレンズ。
【請求項５】
前記第１負レンズと前記第２負レンズとの光軸上の距離をｄ１１、前記第２負レンズと前記第３負レンズとの光軸上の距離をｄ１２とするとき、
０．５＜ｄ１１／ｄ１２＜３．０
なる条件式を満足することを特徴とする請求項１乃至４のいずれか１項に記載のズームレンズ。
【請求項６】
前記第１レンズ群は、前記第１負レンズ、前記第２負レンズ、前記第３負レンズおよび１枚の正レンズからなることを特徴とする請求項１乃至５のいずれか１項に記載のズームレンズ。
【請求項７】
前記後群は、最も物体側に正の屈折力の第２レンズ群を有し、前記第２レンズの焦点距離をｆ２とするとき、
−０．８＜ｆ１／ｆ２＜−０．２
なる条件式を満足することを特徴とする請求項１乃至６のいずれか１項に記載のズームレンズ。
【請求項８】
前記後群は、物体側から像側へ順に配置された、正の屈折力の第２レンズ群、正の屈折力の第３レンズ群より構成されることを特徴とする請求項１乃至７のいずれか１項に記載のズームレンズ。
【請求項９】
前記後群は、物体側から像側へ順に配置された、正の屈折力の第２レンズ群、正の屈折力の第３レンズ群、正の屈折力の第４レンズ群より構成されることを特徴とする請求項１乃至７のいずれか１項に記載のズームレンズ。
【請求項１０】
前記後群は、物体側から像側へ順に配置された、正の屈折力の第２レンズ群、負の屈折力の第３レンズ群、正の屈折力の第４レンズ群より構成されることを特徴とする請求項１乃至７のいずれか１項に記載のズームレンズ。
【請求項１１】
請求項１乃至１０のいずれか１項に記載のズームレンズと、前記ズームレンズによって形成される像を受光する撮像素子とを備えることを特徴とする撮像装置。
【請求項１２】
広角端のズーム位置において、前記撮像素子の撮像面の光軸から最も離れた位置に入射する主光線の光軸とのなす角をωｗとするとき、
５０°＜ωｗ＜８０°
なる条件式を満足することを特徴とする請求項１１に記載の撮像装置。
【発明の詳細な説明】
【技術分野】
【０００１】
本発明は、ズームレンズ及びそれを有する撮像装置に関し、例えばデジタルスチルカメラ、デジタルビデオカメラ、監視用カメラ、ＴＶカメラ等の撮像装置に用いられる撮像光学系として好適なものである。
【背景技術】
【０００２】
近年、撮像装置に用いられるズームレンズは、超広画角で画面周辺での視認性を高めるために建物などが歪まない中心射影方式を採用することが要求されている。
【０００３】
これを満足するために、負の屈折力の第１レンズ群と、正の屈折力の第２レンズ群を有するレンズ構成のネガティブ型のズームレンズが知られている（特許文献１、２）。
【０００４】
特許文献１では、物体側から像側へ順に、負の屈折力の第１レンズ群、正の屈折力の第２レンズ群からなり、広角端での撮像画角が１２１度の超広角レンズ系が開示されている。この超広角レンズ系での広角端は、中心射影方式での歪曲収差を−５％としている。
【０００５】
特許文献２では、物体側から像側へ順に、負の屈折力の第１レンズ群、正の屈折力の第２レンズ群、正の屈折力の第３レンズ群、負の屈折力の第４レンズ群からなり、広角端での撮像画角が８０度のズームレンズが開示されている。このズームレンズでの広角端は、中心射影方式での歪曲収差を−５％としている。
【先行技術文献】
【特許文献】
【０００６】
【特許文献１】特開２０１１−２２７１２４号公報
【特許文献２】特開２０１６−１５７０７６号公報
【発明の概要】
【発明が解決しようとする課題】
【０００７】
ネガティブリード型のズームレンズは、全系の小型化を図りつつ、広画角化を図るのが比較的容易である。しかしながらネガティブリード型のズームレンズは、レンズ構成が開口絞りに対して非対称な配置となるため、像面湾曲や歪曲などの収差が多く発生し、これらの収差補正が難しくなる。特に撮像画角が１００度を超えるような広画角域を含むズームレンズは、前述の諸収差が多く発生してくる。
【０００８】
ネガティブリード型のズームレンズにおいて、全系の小型化と、広画角を確保しつつ全ズーム範囲にわたり高い光学性能を得るには、ズームレンズを構成する各レンズ群を適切に設定することが重要である。例えば、前玉有効径（第１レンズ群の有効径）を小さくしつつ、全系の小型化を図りつつ、広画角化を図るには、第１レンズ群の負の屈折力やレンズ構成を適切に設定することが重要になってくる。
【０００９】
特許文献１では、負の屈折力の第１レンズ群に多くの負レンズを配置することで、歪曲収差と非点収差を補正している。第１レンズ群を小さくするために負レンズの数を減らそうとすると、歪曲収差や非点収差の補正が困難になる。
【００１０】
特許文献２では、広角端における撮像画角を狭くして負の屈折力の第１レンズ群の屈折力を弱めることで、第１レンズ群の厚さを小さくしながら歪曲収差と非点収差を補正している。広角端における撮像画角を大きくするために負の屈折力の第１レンズ群の屈折力を強めると、第１レンズ群の厚さを小さくしながら歪曲収差や非点収差を補正することが困難になる。
【００１１】
本発明は、全系が小型で、歪曲収差や非球面収差等の諸収差が良好に補正され、広画角で広角端から望遠端に至る全ズーム範囲にわたり良好なる光学性能を有する広画角のズームレンズ及びそれを有する撮像装置の提供を目的とする。
【課題を解決するための手段】
【００１２】
本発明のズームレンズは、負の屈折力の第１レンズ群と、該第1レンズ群の像側に配置され１つ以上のレンズ群を含む正の屈折力の後群より構成され、ズーミングに際して隣り合うレンズ群の間隔が変化するズームレンズにおいて、
前記第１レンズ群は、物体側から像側へ順に配置された、第１負レンズ、第２負レンズ、第３負レンズを有し、
前記第１レンズ群の光軸方向の厚さをＤ１、前記第１レンズ群の焦点距離をｆ１、前記第１負レンズの焦点距離をｆ１１、前記第２負レンズの焦点距離をｆ１２、前記第２負レンズの材料のｄ線における屈折率をｎｄ１２、広角端における前記ズームレンズの焦点距離をｆｗとするとき、
０．５＜ｆ１１／ｆ１２＜１．０
ｎｄ１２＞１．８
−２．３＜ｆ１／ｆｗ＜−１．４
３．０＜Ｄ１／ｆｗ＜７．０
なる条件式を満足することを特徴としている。
【発明の効果】
【００１３】
本発明によれば、全系が小型で、歪曲収差や非球面収差等の諸収差が良好に補正され、広画角で広角端から望遠端に至る全ズーム範囲にわたり良好なる光学性能を有する広画角のズームレンズが得られる。
【図面の簡単な説明】
【００１４】
【図１】実施例１のズームレンズのレンズ断面図
【図２】実施例１のズームレンズの縦収差図
【図３】実施例２のズームレンズのレンズ断面図
【図４】実施例２のズームレンズの縦収差図
【図５】実施例３のズームレンズのレンズ断面図
【図６】実施例３のズームレンズの縦収差図
【図７】実施例４のズームレンズのレンズ断面図
【図８】実施例４のズームレンズの縦収差図
【図９】本発明の撮像装置の要部概略図
【発明を実施するための形態】
【００１５】
以下に、本発明の好ましい実施の形態を、添付の図面に基づいて詳細に説明する。本発明のズームレンズは、物体側から像側へ順に配置された、負の屈折力の第１レンズ群、１つ以上のレンズ群を含む正の屈折力の後群とを有し、ズーミングに際して隣り合うレンズ群の間隔が変化する。
【００１６】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比２．２５、開口比（Ｆナンバー）４．１２、撮像半画角６０．０８度〜４２．９１度程度のズームレンズである。
【００１７】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２．２５、開口比４．１２、撮像半画角６０．０８度〜４２．９１度程度のズームレンズである。
【００１８】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２．２５、開口比４．１２、撮像半画角６０．０８度〜４２．９１度程度のズームレンズである。
【００１９】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比２．２５、開口比４．１２、撮像半画角６０．０８度〜４２．９１度程度のズームレンズである。
【００２０】
図９は本発明のズームレンズを備える撮像装置の要部概略図である。
【００２１】
各実施例のズームレンズは、デジタルスチルカメラ、デジタルビデオカメラ、監視カメラ等の撮像装置（光学装置）に用いられる撮像光学系として好適なものである。レンズ断面図において、左方が物体側（前方）で、右方が像側（後方）である。尚、各実施例のズームレンズをプロジェクターなどの投射レンズとして用いても良い。このときは左方がスクリーン側、右方が被投射画像側となる。
【００２２】
レンズ断面図において、ＬＡはズームレンズである。Ｂｉは第ｉレンズ群である。Ｂ１は負の屈折力（光学的パワー＝焦点距離の逆数）の第１レンズ群である。ＬＲは１つ以上のレンズ群を有する後群である。ＳＰは開口絞りであり、第２レンズ群Ｂ２の物体側に配置されている。ＦＰ、ＦＰ１、ＦＰ２は各々フレアーカット絞りである。ＩＰは像面であり、デジタルビデオカメラやデジタルスチルカメラの撮影光学系として使用する際にはＣＣＤセンサやＣＭＯＳセンサなどの撮像素子（光電変換素子）の撮像面に相当する。
【００２３】
尚、以下の各実施例において広角端と望遠端は変倍用レンズ群が機構上、光軸上移動可能な両端に位置したときのズーム位置をいう。レンズ断面図において、矢印は広角端から望遠端へのズーミングに際しての各レンズ群の移動軌跡を示している。フォーカスに関する矢印はフォーカスするときのレンズ群の移動方向を示している。
【００２４】
各実施例のズームレンズは、物体側から像側へ順に配置された、負の屈折力の第１レンズ群Ｂ１、１つ以上のレンズ群を含む正の屈折力の後群ＬＲより構成され、ズーミングに際して隣り合うレンズ群の間隔が変化する。第１レンズ群Ｂ１は、物体側から像側へ順に配置された、負の屈折力の第１１レンズ（第１負レンズ）、負の屈折力の第１２レンズ（第２負レンズ）、負の屈折力の第１３レンズ（第３負レンズ）を有している。
【００２５】
第１レンズ群Ｂ１の光軸方向の厚さをＤ１、第１レンズ群Ｂ１の焦点距離をｆ１、第１１レンズの焦点距離をｆ１１、第１２レンズの焦点距離をｆ１２、第１２レンズの材料のｄ線における屈折率をｎｄ１２、広角端におけるズームレンズの焦点距離をｆｗとする。このとき、
０．５＜ｆ１１／ｆ１２＜１．０・・・（１）
ｎｄ１２＞１．８              ・・・（２）
−２．３＜ｆ１／ｆｗ＜−１．４・・・（３）
３．０＜Ｄ１／ｆｗ＜７．０    ・・・（４）
なる条件式を満足する。
【００２６】
次に前述の条件式の技術的意味について説明する。
【００２７】
条件式（１）は、広角端において非点収差と歪曲収差を良好に補正するために、第１１レンズと第１２レンズとの焦点距離の比を適切に定めたものである。
【００２８】
条件式（１）の上限値を超えて、第１１レンズの負の焦点距離が長くなると（負の焦点距離の絶対値が大きくなると）第１１レンズの負の屈折力が弱くなり（負の屈折力の絶対値が小さくなり）、広角端において歪曲収差を補正することが困難になる。また、上限値を超えて、第１２レンズの負の焦点距離が短くなると（負の焦点距離の絶対値が小さくなると）、第１２レンズの負の屈折力が強くなり（負の屈折力の絶対値が大きくなり）、広角端において非点収差を低減することが困難になる。
【００２９】
条件式（１）の下限値を超えて、第１１レンズの負の焦点距離が短くなると、第１１レンズの負の屈折力が強くなり、広角端において歪曲収差を低減することが困難になる。また、上限値を超えて、第１２レンズ群の負の焦点距離が長くなると、第１２レンズの負の屈折力が弱くなり、広角端において非点収差を補正することが困難になる。
【００３０】
条件式（２）は、広角端において非点収差を良好に補正するために、第１２レンズの材料のｄ線における屈折率を適切に定めたものである。条件式（２）の下限値を超えて、第１２レンズの材料の屈折率が小さくなると、第１２レンズのレンズ面の曲率半径が小さくなり、非点収差を補正することが困難になる。
【００３１】
条件式（３）は、第１レンズ群Ｂ１の光軸上の厚さの短小化と広角端において非点収差と歪曲収差の低減のために、第１レンズ群Ｂ１の焦点距離と広角端におけるズームレンズとの焦点距離の比を適切に定めたものである。
【００３２】
条件式（３）の下限値を超えて、第１レンズ群Ｂ１の負の焦点距離が長くなると、第１レンズ群Ｂ１の負の屈折力が弱くなり、第１レンズ群Ｂ１の光軸上の厚さを短くすることが困難になる。条件式（３）の上限値を超えて、第１レンズ群Ｂ１の負の焦点距離が短くなると、第１レンズ群Ｂ１の負の屈折力が強くなり、広角端において非点収差と歪曲収差を低減することが困難になる。
【００３３】
条件式（４）は、第１レンズ群Ｂ１の小型化と広角端において非点収差と歪曲収差の低減のために、広角端における第１レンズ群Ｌ１の光軸上の厚さと広角端におけるズームレンズの焦点距離の比を適切に定めたものである。
【００３４】
条件式（４）の上限値を超えて、第１レンズ群Ｂ１の光軸上の厚さが大きくなると、第１レンズ群Ｂ１の前玉有効径を小さくすることが困難になる。条件式（４）の下限値を超えて、第１レンズ群Ｂ１の光軸上の厚さが小さくなると、第１レンズ群Ｂ１に含まれる負レンズの枚数や正レンズの枚数が少なくなり、非点収差と歪曲収差を低減することが困難になる。
【００３５】
尚、更に好ましくは、条件式（１）乃至（４）の数値範囲を以下のように設定するのが望ましい。
【００３６】
０．５２＜ｆ１１／ｆ１２＜０．９０・・・（１ａ）
ｎｄ１２＞１．８３                ・・・（２ａ）
−２．０＜ｆ１／ｆｗ＜−１．５    ・・・（３ａ）
３．５＜Ｄ１／ｆｗ＜５．０        ・・・（４ａ）
以上のように、各実施例によれば、第１レンズ群Ｂ１を小さく保ちながら、歪曲収差と非点収差の小さい超広角のズームレンズを得ることができる。
【００３７】
各実施例において、更に好ましくは以下の条件式の１つ以上を満足することが望ましい。
【００３８】
第１１レンズの材料のｄ線における屈折率をｎｄ１１とする。第１３レンズの材料のｄ線におけるアッベ数をｖｄ１３とする。第１１レンズと第１２レンズとの光軸上の距離をｄ１１、第１２レンズと第１３レンズとの光軸上の距離をｄ１２とする。後群ＬＲは最も物体側に正の屈折力の第２レンズ群Ｂ２を有し、第２レンズ群Ｂ２の焦点距離をｆ２とする。各実施例のズームレンズと、撮像素子とを備える撮像装置では、広角端のズーム位置において、撮像素子の撮像面の光軸から最も離れた位置に入射する主光線の光軸とのなす角をωｗとする。
【００３９】
このとき、次の条件式のうち１つ以上を満足するのが良い。
【００４０】
ｎｄ１１＞１．７                ・・・（５）
ｖｄ１３＞６０                  ・・・（６）
−３．５＜ｆ１１／ｆｗ＜−１．５・・・（７）
０．５＜ｄ１１／ｄ１２＜３．０  ・・・（８）
−０．８＜ｆ１／ｆ２＜−０．２  ・・・（９）
５０°＜ωｗ＜８０°            ・・・（１０）
次に前述の各条件式の技術的意味について説明する。
【００４１】
条件式（５）は、広角端において歪曲収差の低減のために、第１１レンズの材料のｄ線における屈折率を適切に定めたものである。条件式（５）の下限値を超えて、第１１レンズの材料の屈折率が小さくなると、広角端において歪曲収差を低減することが困難になる。
【００４２】
条件式（６）は、望遠端において倍率色収差を良好に補正するために、第１３レンズの材料のアッベ数を適切に定めたものである。条件式（６）の下限値を超えて、第１３レンズの材料のアッベ数が小さくなると、望遠端において倍率色収差を補正することが困難になる。
【００４３】
条件式（７）は、広角端において歪曲収差を低減するために、第１１レンズの焦点距離と広角端におけるズームレンズの焦点距離の比を適切に定めたものである。条件式（７）の下限値を超えて、第１１レンズの負の焦点距離が長くなると、第１１レンズの負の屈折力が弱くなり、広角端において歪曲収差を補正することが困難になる。条件式（７）の上限値を超えて、第１１レンズの負の焦点距離が短くなると、第１１レンズの負の屈折力が強くなり、広角端において歪曲収差を低減することが困難になる。
【００４４】
条件式（８）は、第１レンズ群Ｂ１を小型化するために、第１１レンズと第１２レンズとの光軸上の間隔と第１２レンズと第１３レンズとの光軸上の間隔の比を適切に定めたものである。条件式（８）の上限値を超えて、第１１レンズと第１２レンズとの光軸上の間隔が大きくなると、前玉有効径が大きくなり第１レンズ群Ｂ１を小型化することが困難になる。条件式（８）の下限値を超えて、第１２レンズと第１３レンズとの光軸上の間隔が大きくなると、前玉有効径が大きくなり第１レンズ群Ｂ１を小型化することが困難になる。
【００４５】
条件式（９）は、広画角化を図るために、第１レンズ群Ｂ１と第２レンズ群Ｂ２の焦点距離の比を適切に定めたものである。条件式（９）の下限値を超えて、第１レンズ群Ｂ１の負の焦点距離が長くなると、第１レンズ群Ｂ１の負の屈折力が弱くなり、広画角化を図ることが困難になる。条件式（９）の上限値を超えて、第１レンズ群Ｂ１の負の焦点距離が短くなると、第１レンズ群Ｂ１の負の屈折力が強くなり、広角端において非点収差と歪曲収差を低減することが困難になる。
【００４６】
条件式（１０）は、中心射影方式における歪曲を低減して広範囲を撮影するために、広角端における撮影半画角を適切に定めたものである。条件式（１０）の上限値を超えて、撮像半画角が大きくなると、中心射影方式における歪曲を低減することが困難になる。条件式（１０）の下限値を超えて、撮像半画角が小さくなると、広範囲を撮影することが困難になる。
【００４７】
尚、各実施例において更に好ましくは、条件式（５）乃至（１０）の数値範囲を以下のように設定するのが望ましい。
【００４８】
ｎｄ１１＞１．７５              ・・・（５ａ）
ｖｄ１３＞６５                  ・・・（６ａ）
−３．０＜ｆ１１／ｆｗ＜−２．０・・・（７ａ）
１．０＜ｄ１１／ｄ１２＜２．８  ・・・（８ａ）
−０．７＜ｆ１／ｆ２＜−０．３  ・・・（９ａ）
６０°＜ωｗ＜７０°            ・・・（１０ａ）
各実施例において第１レンズ群Ｂ１は、３枚の負レンズと１枚の正レンズからなるのが良い。
【００４９】
実施例１において、後群ＬＲは物体側から像側へ順に配置された正の屈折力の第２レンズ群Ｂ２、正の屈折力の第３レンズ群Ｂ３より構成される。
【００５０】
実施例２、３において、後群ＬＲは物体側から像側へ順に配置された正の屈折力の第２レンズ群Ｂ２、正の屈折力の第３レンズ群Ｂ３、正の屈折力の第４レンズ群Ｂ４より構成される。
【００５１】
実施例４において、後群ＬＲは物体側から像側へ順に配置された正の屈折力の第２レンズ群Ｂ２、負の屈折力の第３レンズ群Ｂ３、正の屈折力の第４レンズ群Ｂ４より構成される。
【００５２】
次に各実施例のズームレンズのレンズ構成について説明する。
【００５３】
［実施例１］
以下、本発明の実施例１のズームレンズについて説明する。レンズ構成は物体側より像側へ順に、次のとおりである。負の屈折力の第１レンズ群Ｂ１、正の屈折力の第２レンズ群Ｂ２、正の屈折力の第３レンズ群Ｂ３より構成されている。第１レンズ群Ｂ１は、３枚の負レンズと１枚の正レンズから構成することで、広角端において非点収差と歪曲収差と倍率色収差を低減している。第２レンズ群Ｂ２は、開口絞りＳＰ付近に複数の正レンズを配置することで、球面収差とコマ収差を低減している。第３レンズ群Ｂ３は、１枚の正レンズから構成され、フォーカシングに際して移動するフォーカス群である。
【００５４】
［実施例２］
以下、本発明の実施例２のズームレンズについて説明する。レンズ構成は、物体側より像側へ順に、次のとおりである。負の屈折力の第１レンズ群Ｂ１、正の屈折力の第２レンズ群Ｂ２、正の屈折力の第３レンズ群Ｂ３、正の屈折力の第４レンズ群Ｂ４より構成されている。第１レンズ群Ｂ１は、３枚の負レンズと１枚の正レンズから構成することで、広角端において非点収差と歪曲収差と倍率色収差を低減している。
【００５５】
第２レンズ群Ｂ２と第３レンズ群Ｂ３は、開口絞りＳＰ付近に複数の正レンズを配置することで、球面収差とコマ収差を低減している。第２レンズ群Ｂ２は、フォーカシングに際して移動するフォーカス群である。第４レンズ群Ｂ４は、１枚の正レンズから構成され、望遠端において非点収差を低減している。
【００５６】
［実施例３］
以下、本発明の実施例３のズームレンズについて説明する。レンズ構成は物体側より像側へ順に、次のとおりである。負の屈折力の第１レンズ群Ｂ１、正の屈折力の第２レンズ群Ｂ２、正の屈折力の第３レンズ群Ｂ３、正の屈折力の第４レンズ群Ｂ４より構成されている。第１レンズ群Ｂ１は、３枚の負レンズと１枚の正レンズから構成することで、広角端において非点収差と歪曲収差と倍率色収差を低減している。
【００５７】
第２レンズ群Ｂ２と第３レンズ群Ｂ３は、開口絞りＳＰ付近に複数の正レンズを配置することで、球面収差とコマ収差を低減している。第２レンズ群Ｂ２は、フォーカス群である。第４レンズ群Ｂ４は、１枚の正レンズから構成され、望遠端において非点収差を低減している。
【００５８】
［実施例４］
以下、本発明の実施例４のズームレンズについて説明する。レンズ構成は物体側より像側へ順に、次のとおりである。負の屈折力の第１レンズ群Ｂ１、正の屈折力の第２レンズ群Ｂ２、負の屈折力の第３レンズ群Ｂ３、正の屈折力の第４レンズ群Ｂ４より構成されている。第１レンズ群Ｂ１は、３枚の負レンズと１枚の正レンズから構成することで、広角端において非点収差と歪曲収差と倍率色収差を低減している。
【００５９】
第２レンズ群Ｂ２は、開口絞りＳＰ付近に複数の正レンズを配置することで、球面収差とコマ収差を低減している。第３レンズ群Ｂ２は、１枚の負レンズから構成され、フォーカシングに際して移動するフォーカス群である。第４レンズ群Ｂ４は、１枚の正レンズから構成され、望遠端において非点収差を低減している。
【００６０】
次に図９の撮像装置としての一眼レフカメラについて説明する。図９において、１０は実施例１乃至４までのズームレンズ１よりなる撮像光学系である。撮像光学系１０は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。
【００６１】
観察者は、その正立像を、接眼レンズ６を介して観察する。７は感光面であり、像を受光するＣＣＤセンサやＣＭＯＳセンサ等の撮像素子（光電変換素子）が配置される。撮像時にはクイックリターンミラー３が光路から退避して、感光面７上に撮像光学系１０によって像が形成される。
【００６２】
このようにズームレンズを一眼レフカメラ交換レンズ等の撮像光学系として適用することにより、高い光学性能を有する撮像装置を実現している。尚、本発明のズームレンズは、デジタルカメラ・ビデオカメラ・監視カメラ等の他に望遠鏡、双眼鏡、複写機、プロジェクター等の光学機器にも適用できる。またクイックリターンミラーのないミラーレスの一眼レフカメラにも適用することができる。
【００６３】
以下に、実施例１乃至４に各々対応する数値データ１乃至４を示す。各数値データにおいて、ｉは物体側からの面の順番を示し、ｒｉは第ｉ番目（第ｉ面）の曲率半径、ｄｉは第ｉ面と第ｉ＋１面との間の間隔である。間隔ｄの値が「マイナス」となっているのは像側の面が物体側の面よりも物体側に位置することを意味する。ｎｄｉ、νｄｉはそれぞれｄ線を基準とした屈折率、アッベ数を示す。画角は近軸半画角を示す。ＢＦは空気換算でのバックフォーカスである。レンズ全長は第１レンズ面から最終レンズ面までの距離にバックフォーカスの値を加えた値である。
【００６４】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ａ４、Ａ６、Ａ８、Ａ１０、Ａ１２を各次数の非球面係数とするとき、
【００６５】
【数１】
2020091436.tif 000003
【００６６】
で表す。なお、各非球面係数における「ｅ±ＸＸ」は「×１０±ＸＸ」を意味している。また、各光学面の間隔ｄが（可変）となっている部分は、ズーミングに際して変化するものである。また前述の各条件式と数値データの関係を表１に示す。 
（数値データ１）
単位  ｍｍ
面データ
面番号       r        d      nd         vd
1         19.694    1.20   1.85135    40.1           
2*         5.992    4.79                             
3         36.242    1.00   1.85135    40.1           
4*         9.368    4.10                             
5      -2163.288    0.60   1.49700    81.5           
6         10.285    0.10                             
7          9.758    2.86   1.85478    24.8           
8         38.644  (可変)                             
9          ∞     (可変)（フレアーカット）           
10(絞り)    ∞       0.50                             
11          6.780    0.50   2.00100    29.1           
12          4.247    3.17   1.64769    33.8           
13         59.632    0.93                             
14          ∞       0.20（フレアーカット）           
15          7.636    0.50   2.00100    29.1           
16          5.240    4.38   1.49700    81.5           
17         -5.803    0.38                             
18         -6.137    0.50   1.76200    40.1           
19         12.053    1.69   1.49700    81.5           
20         43.219    0.30                             
21         12.322    2.80   1.49710    81.6           
22*       -20.525  (可変)                             
23         20.019    3.80   1.53110    55.9           
24*        66.939  (可変)                             
像面        ∞   
非球面データ
第2面
K =-8.11662e-001  A 4=-9.38082e-005  A 6=-4.61656e-007  A 8= 4.56032e-008  A10=-1.52301e-009  A12= 1.01496e-011  
第4面
K = 0.00000e+000  A 4= 3.32166e-004  A 6= 1.59174e-006  A 8= 7.99878e-008  A10= 1.16980e-009  
第22面
K = 0.00000e+000  A 4= 5.87928e-004  A 6= 6.95036e-006  A 8=-1.03195e-007  
第24面
K = 0.00000e+000  A 4= 1.34606e-004  A 6=-1.82216e-006  
各種データ
ズーム比      2.25 
焦点距離       3.77     6.09     8.49
Fナンバー      4.12     4.12     4.12
半画角（度）  60.08    50.60    42.91
像高           6.55     7.42     7.89
レンズ全長    52.00    51.26    53.50
BF             5.39     3.76     3.30
d 8            6.76     2.56     1.33
d 9            4.44     2.37     0.50
d22            1.09     8.27    14.06
d24            5.39     3.76     3.30
レンズ群データ
群  始面    焦点距離  
1    1      -6.41  
2   10      12.40  
3   23      52.31  
（数値データ２）
単位  ｍｍ
面データ
面番号       r        d      nd         vd
1         22.742    1.20   1.82080    42.7           
2*         5.894    6.78                             
3       -311.903    1.00   1.85135    40.1           
4*        11.512    2.51                             
5        -45.693    0.60   1.49700    81.5           
6         10.952    0.10                             
7          9.662    2.53   1.80518    25.4           
8        177.251  (可変)                             
9(絞り)    ∞     (可変)                             
10          7.428    0.50   2.00100    29.1           
11          4.705    2.95   1.60342    38.0           
12       -235.228    0.00                             
13          ∞     (可変) （フレアーカット）          
14          7.266    0.50   2.00100    29.1           
15          5.312    5.21   1.49700    81.5           
16         -6.984    0.99                             
17         -6.818    0.50   1.91082    35.3           
18         97.343    0.30                             
19         21.247    2.47   1.49710    81.6           
20*       -23.081  (可変)                             
21         18.014    3.80   1.53110    55.9           
22*      -129.360  (可変)                             
像面        ∞   
非球面データ
第2面
K =-8.30174e-001  A 4=-6.17472e-005  A 6=-1.95727e-006  A 8= 7.18356e-008  A10=-2.10216e-009  A12= 1.34423e-011  
第4面
K = 0.00000e+000  A 4= 4.87034e-004  A 6= 5.34683e-006  A 8= 1.03961e-007  A10= 3.94688e-009  
第20面
K = 0.00000e+000  A 4= 7.34640e-004  A 6= 7.79697e-006  A 8=-9.08848e-008  
第22面
K = 0.00000e+000  A 4= 6.57902e-005  A 6=-6.47816e-007  
各種データ
ズーム比      2.25 
焦点距離       3.77     6.15     8.49
Fナンバー      4.12     4.12     4.12
半画角（度）  60.08    50.33    42.91
像高           6.55     7.42     7.89
レンズ全長    49.80    51.25    54.00
BF             4.72     2.40     3.00
d 8            8.15     5.43     1.04
d 9            1.39    -0.28     1.47
d13            2.15     2.02     1.72
d20            1.46     9.74    14.82
d22            4.72     2.40     3.00
レンズ群データ
群  始面    焦点距離  
1    1      -5.75  
2   10      18.07  
3   14      29.59  
4   21      30.04  
（数値データ３）
単位  ｍｍ
面データ
面番号       r        d      nd         vd
1*        13.453    1.20   1.76802    49.2           
2*         4.902    6.28                             
3*        40.387    1.00   1.85135    40.1           
4*         8.372    2.95                             
5        -51.110    0.60   1.49700    81.5           
6          7.955    2.96   1.83989    31.9           
7        114.402  (可変)                             
8(絞り)    ∞     (可変)                             
9          7.530    0.50   2.00100    29.1           
10          4.794    2.69   1.60342    38.0           
11       -350.399    0.00                             
12          ∞     (可変) （フレアーカット）          
13          7.296    0.50   2.00100    29.1           
14          5.313    5.00   1.49700    81.5           
15         -6.997    0.77                             
16         -7.392    0.50   1.89190    37.1           
17        137.137    0.30                             
18         47.783    1.89   1.49710    81.6           
19*       -20.976  (可変)                             
20         19.289    3.80   1.53110    55.9           
21        -65.751  (可変)                             
像面        ∞   
非球面データ
第1面
K = 0.00000e+000  A 4=-1.59740e-004  A 6= 4.93007e-007  A 8=-1.45692e-009  
第2面
K =-8.47197e-001  A 4= 8.24157e-005  A 6=-4.34562e-006  A 8= 4.20989e-008  A10=-1.79527e-009  A12= 1.02437e-011  
第3面
K = 0.00000e+000  A 4=-2.77798e-004  A 6= 1.31780e-006  
第4面
K = 0.00000e+000  A 4=-8.19372e-005  A 6= 7.36667e-006  A 8= 6.29726e-008  A10= 2.31808e-009  
第19面
K = 0.00000e+000  A 4= 7.37321e-004  A 6= 9.57179e-006  A 8=-8.43032e-008  
各種データ
ズーム比      2.25 
焦点距離       3.77     6.50     8.49
Fナンバー      4.12     4.12     4.12
半画角（度）  60.08    48.78    42.91
像高           6.55     7.42     7.89
レンズ全長    49.80    51.17    53.21
BF             5.10     2.51     3.00
d 7            8.43     5.64     1.07
d 8            1.50    -0.77     1.47
d12            2.26     2.09     1.84
d19            1.57    10.76    14.89
d21            5.10     2.51     3.00
レンズ群データ
群  始面    焦点距離  
1    1      -6.18  
2    9      18.43  
3   13      29.11  
4   20      28.52  
（数値データ４）
単位  ｍｍ
面データ
面番号       r        d      nd         vd
1         19.983    1.20   1.88202    37.2           
2*         5.838    5.29                             
3         32.800    1.00   1.88202    37.2           
4*        10.644    3.77                             
5        -50.294    0.60   1.59522    67.7           
6         17.737    0.10                             
7         13.625    2.94   1.85478    24.8           
8       -470.662  (可変)                             
9          ∞     (可変) （フレアーカット）          
10(絞り)    ∞       0.50                             
11          6.764    0.50   2.00100    29.1           
12          4.312    2.51   1.66680    33.0           
13         22.872    1.54                             
14          ∞       0.10（フレアーカット）           
15          6.767    0.50   2.00100    29.1           
16          4.735    4.40   1.49700    81.5           
17         -6.028    0.30                             
18         -6.608    0.50   1.76200    40.1           
19         30.892    0.30                             
20          9.516    2.51   1.49710    81.6           
21*       -41.063  (可変)                             
22         14.353    0.50   2.00100    29.1           
23          9.979  (可変)                             
24         16.180    2.94   1.53110    55.9           
25*        78.887  (可変)                             
26          ∞       0.54   1.51633    64.1           
27          ∞       0.72                             
28          ∞       0.55   1.51633    64.1           
29          ∞       0.53                             
像面        ∞   
非球面データ
第2面
K =-8.46421e-001  A 4= 5.09203e-005  A 6= 2.52963e-006  A 8=-3.83322e-008  A10= 1.07294e-009  A12=-1.20279e-011  
第4面
K = 0.00000e+000  A 4= 1.86145e-004  A 6= 1.18776e-006  A 8= 4.26267e-009  A10= 1.04308e-009  
第21面
K = 0.00000e+000  A 4= 1.07779e-003  A 6= 1.20121e-005  A 8=-3.85178e-007  
第25面
K = 0.00000e+000  A 4= 9.96001e-005  A 6=-1.63274e-006  
各種データ
ズーム比      2.25 
焦点距離       3.77     6.50     8.49
Fナンバー      4.12     4.12     4.12
半画角（度）  60.08    48.78    42.91
像高           6.55     7.42     7.89
レンズ全長    53.17    48.31    48.80
BF             2.97     4.47     4.99
d 8            9.14     2.40     1.00
d 9            4.60     1.97     0.51
d21            1.01     3.19     4.60
d23            3.45     4.29     5.71
d25            1.00     2.49     3.02
レンズ群データ
群  始面    焦点距離  
1    1      -7.04  
2   10      11.46  
3   22     -34.70  
4   24      37.71  
【００６７】
【表１】
2020091436.tif 000004
以上、本発明の好ましい実施形態について説明したが、本発明はこれらの実施形態に限定されず、その要旨の範囲内で種々の変形及び変更が可能である。
【００６８】
例えば後群ＬＲを構成するレンズ群は、前述した２つまたは３つのレンズ群からなる場合に限らず、１つまたは４つ以上のレンズ群から構成されていてもよい。
【符号の説明】
【００６９】
ＬＡ  ズームレンズ      Ｂ１  第１レンズ群      ＬＲ  後群
【図１】
2020091436.tif 000005
【図２】
2020091436.tif 000006
【図３】
2020091436.tif 000007
【図４】
2020091436.tif 000008
【図５】
2020091436.tif 000009
【図６】
2020091436.tif 000010
【図７】
2020091436.tif 000011
【図８】
2020091436.tif 000012
【図９】
2020091436.tif 000013